(57)【要約】【課題】機器本体の外装的な美感と、外部のリモコンから発射される光線の受光感度を両立した電子機器を提供することを目的とする。【解決手段】上記課題を解決するために、本開示に係る電子機器は、外部のリモコンから光線を受光する受光部と、受光部の前面を含む機器本体の前面に配置された板であって、金属膜が蒸着されている板と、を備え、板のうち、受光部の前面に位置する部分については、微細レーザー加工により金属膜が取り除かれた孔が複数設けられている。【選択図】図１
2016001767.tif 000002
【特許請求の範囲】
【請求項１】
外部のリモコンから光線を受光する受光部と、
前記受光部の前面を含む機器本体の前面に配置された板であって、金属膜が蒸着されている板と、を備え、
前記板のうち、前記受光部の前面に位置する領域を含んだ領域において、微細レーザー加工により前記金属膜が取り除かれた孔が複数設けられている、
電子機器。
【請求項２】
前記複数の孔は、千鳥格子状に配置されている、
請求項１に記載の電子機器。
【請求項３】
前記板は、微細レーザー加工により前記複数の孔が設けられた後に、前記孔の部分に保護層がオーバーコートされている、
請求項１又は２に記載の電子機器。
【発明の詳細な説明】
【技術分野】
【０００１】
本開示の技術は電子機器に関する。
【背景技術】
【０００２】
特許文献１は、光伝送装置の受光器を開示する。この光伝送受光器は、前面に格子状導体を被着形成せしめた透明な板状の受光面を有する。これにより、この光伝送装置の受光器は、電磁シールドケースの受光面の有効入射面積を飛躍的に大きくして受光検出感度を高めることができる。
【先行技術文献】
【特許文献】
【０００３】
【特許文献１】実開昭６４−１１５５５号公報
【発明の概要】
【発明が解決しようとする課題】
【０００４】
しかしながら、上記特許文献１に開示されている光伝送装置の受光器を機器本体の外部から視認できる状態で装着すると、美感の観点からあまり美しいとはいえない。一方、このような受光器を外装部材で完全に覆ってしまうと、受光器による受光感度が著しく低下してしまう。
【０００５】
本開示の技術は、機器本体の外装的な美感と、外部のリモコンから発射される光線の受光感度を両立した電子機器を提供することを目的とする。
【課題を解決するための手段】
【０００６】
上記課題を解決するために、本開示に係る電子機器は、外部のリモコンから光線を受光する受光部と、受光部の前面を含む機器本体の前面に配置された板であって、金属膜が蒸着されている板と、を備え、板のうち、受光部の前面に位置する部分については、微細レーザー加工により金属膜が取り除かれた孔が複数設けられている。
【発明の効果】
【０００７】
本開示の技術によれば、機器本体の外装的な美感と、外部のリモコンから発射される光線の受光感度を両立した電子機器を提供できる。
【図面の簡単な説明】
【０００８】
【図１】レコーダの斜視図
【図２】レコーダの分解斜視図
【図３】レコーダを正面から見た状態を示す正面図
【図４】レコーダの正面のハーフミラードアを開けた状態を示す正面図
【図５】レコーダのＡ−Ａ断面図
【図６】レコーダの正面のハーフミラーオーナメントの詳細を示す模式図
【図７】微細レーザー加工を施した孔を説明するための模式図
【図８】レコーダの正面のハーフミラーオーナメントに施した加工を示す断面図
【発明を実施するための形態】
【０００９】
ここでは、本開示の技術を、放送番組を記憶媒体に記録するレコーダに適用した実施の形態について図面を用いて説明する。
【００１０】
１．実施の形態１
１−１．概要
レコーダ１００の概要について図１を用いて説明する。図１は、レコーダ１００の外観斜視図である。レコーダ１００は、放送を受信する。レコーダ１００は、受信した放送に基づいて番組データを生成し、生成した番組データを内部のハードディスクやＢＤ（ブルーレイディスク）に記録する。レコーダ１００は、本体の前面にハーフミラーオーナメント１１０を有している。ハーフミラーオーナメント１１０は、透明の樹脂板材に金属蒸着を施し、可視光透過率を低減させることで生成されている。このハーフミラーオーナメント１１０は、可視光の反射率が高いので鏡のように見える。レコーダ１００は、ハーフミラーオーナメント１１０を有することで美しいデザインを実現している。
【００１１】
レコーダ１００は、ハーフミラーオーナメント１１０のような反射率の高い部材を、リモコンからの信号を受信するＩＲ受光素子１６０の前方に備えている。このような場合には、ハーフミラーオーナメント１１０は、リモコンからの必要な信号も反射してしまう恐れがある。
【００１２】
このような恐れを回避するために、レコーダ１００は、外部のリモコンから光線を受光するＩＲ受光素子１６０と、ＩＲ受光素子１６０の前面を含む機器本体の前面に配置されたハーフミラーオーナメント１１０であって、金属膜が蒸着されているハーフミラーオーナメント１１０と、を備え、レコーダ１００のうち、ＩＲ受光素子１６０の前面に位置する部分については、微細レーザー加工により金属膜が取り除かれた孔が複数設けられている。
【００１３】
これにより、レコーダ１００は、機器本体の外装的な美感と、外部のリモコンから発射される光線の受光感度を両立している。以下、機器本体の外装的な美感と、外部のリモコンから発射される光線の受光感度とを両立する仕組みについて詳細に説明する。
【００１４】
１−２．全体構成
レコーダ１００の全体構成について、図２〜図５を用いて説明する。図２は、レコーダ１００の分解斜視図である。図３は、レコーダ１００を正面から見た正面図である。図４は、ハーフミラードアを開けた状態においてレコーダ１００を正面から見た正面図である。図５は、レコーダ１００のＡ−Ａ断面図である。
【００１５】
図２に示すように、レコーダ１００は、ハーフミラーオーナメント１１０、ドアパネル１２０、フロントパネル１３０、基板１４０及び本体ユニット１５０を備える。図３、図４に示すように、レコーダ１００の前面に設けられたハーフミラーオーナメント１１０、及びドアパネル１２０からなるユニットは、開閉可能である。閉状態においては、レコーダ１００は、図３のような状態となっている。一方、開状態においては、レコーダ１００は、図４のような状態となっている。
【００１６】
ハーフミラーオーナメント１１０は、上述した通り、透明の樹脂板材に金属蒸着を施し、可視光透過率を低減させたハーフミラーである。ドアパネル１２０は、黒色の樹脂板材である。ドアパネル１２０には、穴が設けられている。この穴は、ドアパネル１２０の後方に配置されている基板１４０に設けられている発光部材の光を通過させるために設けられている。また、この穴は、外部のリモコンから発射される赤外光を通過するために設けられている。ドアパネル１２０とハーフミラーオーナメント１１０とは、両面テープで張り合わされている。
【００１７】
フロントパネル１３０は、黒色の樹脂材である。フロントパネル１３０には、穴が２つ設けられている。一つ目の穴は、ブルーレイディスクドライブのトレーを排出するための穴である。二つ目の穴は、ドアパネル１２０とフロントパネル１３０とが組み合わされた際に、ドアパネル１２０に設けられた穴と重なる位置に設けられている。この二つ目の穴もドアパネル１２０の穴と同様、基板１４０に設けられている発光部材の光を通過させるために設けられている。また、この二つ目の穴は、外部のリモコンから発射される赤外光を通過するために設けられている。
【００１８】
基板１４０は、表示管、ＬＥＤ、及びＩＲ受光素子１６０を備える基板である。表示管、ＬＥＤを強く発光させることで、発光した光は、フロントパネル１３０、ドアパネル１２０の穴を通過し、ハーフミラーオーナメント１１０を透過する。外部のリモコンから発射された赤外光は、ハーフミラーオーナメント１１０を透過し、ドアパネル１２０、フロントパネル１３０の穴を通過して、ＩＲ受光素子１６０に入射する。
【００１９】
ハーフミラーオーナメント１１０、ドアパネル１２０、フロントパネル１３０、基板１４０、及びＩＲ受光素子１６０を組み立てた状態で、図５（ａ）のＡ−Ａで切ったレコーダ１００の断面を図５（ｂ）に示す。図５（ｂ）からもドアパネル１２０の穴の後方にフロントパネル１３０の穴が配置されていることが分かる。また、フロントパネル１３０の穴の後方にＩＲ受光素子１６０が配置されていることが分かる。なお、ＩＲ受光素子１６０を正面から見た状態を図５（ｃ）に示す。図５（ｃ）からも分かる通り、ＩＲ受光素子１６０には、電磁波を防止するための電磁シールドとして、網目状の材料が前面に設けられている。
【００２０】
表示管及びＬＥＤを強く発光することは比較的容易である。表示管及びＬＥＤが発光する光の強度を高めることで、表示管及びＬＥＤから発光した光は、ハーフミラーオーナメント１１０を透過し、人間の目に視認可能となる。しかしながら、外部のリモコンから発射される赤外光の強さは微弱である。従って、ハーフミラーオーナメント１１０の反射率が高いままであれば、外部のリモコンから発射される光を透過することができない。そこで、本実施の形態に係るレコーダ１００においては、ハーフミラーオーナメント１１０に構成上の工夫を取り入れている。次に、その点について詳細に説明する。
【００２１】
１−３．ハーフミラーオーナメントの全体構成
ハーフミラーオーナメント１１０の全体構成について図６〜図８を用いて説明する。図６は、ハーフミラーオーナメント１１０を正面から見た模式図である。図７は、微細レーザー加工により設けられた孔を示す模式図である。図８は、ハーフミラーオーナメント１１０の断面図である。
【００２２】
ハーフミラーオーナメント１１０には、レーザー加工孔１７０が設けられている。レーザー加工孔１７０は、微細レーザー加工により設けられた微細な孔の集合である。これらの孔は微細である。従って、これらの孔は、外部からは孔として目立ちにくい。その一方、これらの孔は、外部のリモコンから発射される赤外光の透過率を向上させる。また、レーザー加工孔１７０を構成する各孔１８０は、図７（ｂ）に示すように、千鳥格子状に配置されている。千鳥格子状に配置することで、同一面積内においてより多数の孔を配置できる。
【００２３】
また、ハーフミラーオーナメント１１０は、図８に示すように、微細レーザー加工により複数の孔を空けた後に、空けた複数の孔の上から保護膜をオーバーコートする。これにより、微細レーザー加工により除去されてしまったバックコートを再度行うことができる。その結果、ハーフミラーオーナメント１１０の加工部端面の蒸着膜の腐食を防止できる。
【００２４】
なお、本実施の形態においては、金属膜の除去に微細レーザー加工を用いたが、必ずしもこのような例には限られない。例えば、エッチング加工により実現してもよいし、金属蒸着の際にマスキングで実現してもよい。
【００２５】
１−４．作用、効果
このように、本実施の形態に係るレコーダ１００は、外部のリモコンから赤外光を受光するＩＲ受光素子１６０と、ＩＲ受光素子１６０の前面を含む機器本体の前面に配置されたハーフミラーオーナメント１１０であって、金属膜が蒸着されているハーフミラーオーナメント１１０と、を備え、ハーフミラーオーナメント１１０のうち、ＩＲ受光素子１６０の前面に位置する領域を含んだ領域において、微細レーザー加工により金属膜が取り除かれた孔１８０が複数設けられている。
【００２６】
これにより、レコーダ１００は、機器本体の外装的な美感と、外部のリモコンから発射される光線の受光感度を両立できる。
【００２７】
また、本実施の形態に係るレコーダ１００において、複数の孔１８０は、千鳥格子状に配置されている。
【００２８】
これにより、レコーダ１００は、同一面積内においてより多数の孔を配置できる。その結果、レコーダ１００は、外部のリモコンから発射される赤外光の透過率を向上できる。
【００２９】
また、本実施の形態に係るレコーダ１００において、ハーフミラーオーナメント１１０は、微細レーザー加工により複数の孔１８０が設けられた後に、孔１８０の部分に保護層がオーバーコートされている。
【００３０】
これにより、レコーダ１００は、微細レーザー加工により除去されてしまったバックコートを再度行うことができる。その結果、レコーダ１００は、加工部端面の蒸着膜の腐食を防止できる。
【産業上の利用可能性】
【００３１】
ここに開示された技術は、レコーダ、プレーヤ、テレビといったリモコンからの光線の受光部を備える電子機器に適用できる。
【符号の説明】
【００３２】
１００    レコーダ
１１０    ハーフミラーオーナメント
１２０    ドアパネル
１３０    フロントパネル
１４０    基板
１５０    本体ユニット
１６０    ＩＲ受光素子
１７０    レーザー加工孔
１８０    孔
【図１】
2016001767.tif 000003
【図２】
2016001767.tif 000004
【図３】
2016001767.tif 000005
【図４】
2016001767.tif 000006
【図５】
2016001767.tif 000007
【図７】
2016001767.tif 000008
【図６】
2016001767.tif 000009
【図８】
2016001767.tif 000010